(57)【特許請求の範囲】
【請求項１】
木質材料からなる複数の羽根が鉛直方向に多段に設けられた換気用ルーバーが、上下に位置する横框と左右に位置する縦框に囲まれた部分に嵌込まれた木質ドアであって、
前記左右縦框の互いに対向する内側に鉛直方向に延びる凹溝が形成されるとともに、該凹溝に、前記複数の羽根の両端に形成された凸部がそれぞれ嵌合されることにより構成され、
前記凹溝に、前記換気用ルーバーにかえて鏡板をそのまま嵌込んだり、あるいは鏡板と換気用ルーバーとを上下になるように嵌込み可能にしたもので、
しかも、前記凹溝は、前記左右縦框からそれぞれ内側に向かって突出した突条の真中に形成され、その突条のドア表面側の側面及びドア裏面側の側面は、曲面状に加工され、それら側面に嵌合するように、前記複数の羽根の両端に形成された凸部の側面も曲面状に加工されていることを特徴とする木質ドア。
【発明の詳細な説明】
【０００１】
【発明の属する技術分野】
本発明は、換気用ルーバーを有する木質ドアに関するものである。
【０００２】
【従来の技術】
横框と縦框を組み合わせ、これらに囲まれた部分に鏡板と称される板状部材が取付けられたドアは、框組ドアと称され、無垢材が使用され、一般には高級ドアとみなされている。
この框組ドアには、一般に、閉められた状態で、内部が外から見えないよう構成され、通風を確保する以下に示す各種換気用ルーバーが嵌込まれている。
【０００３】
その１つは、プラスチック製ルーバーであって、一体成形されるため安価でしかもドアの鏡板の一部を切り欠いた部分に容易に取付け可能であり、隙間が生じ難いという長所はあるが、高級感に欠け、素材の違いから框や鏡板との間に違和感が生じ、有効開口面積が小さくデザインの制約がある等の問題点がある。
【０００４】
その２つ目は、各種木質ルーバーＬであって、図７乃至図９に示すように、羽根１４０，２４０，３４０は、框１１０，２１０の彫り込み１１５や穴２１５に直接又は一体に突設されたダボ２４１を介して取付けられるか、又は框，鏡板のいずれかに木枠３１５を介して取付けられている。
框１１０，２１０に直接又はダボ２４１を介して取付けられるもの（図７及び図８）は、羽根１４０，２４０を一つ一つ彫り込み１１５や穴２１５に差し込む必要があるため位置決めを含めて作業に手間がかかるという問題がある。
【０００５】
また、框，鏡板のいずれかに木枠３１５を介して取付けられるもの（図９）は、ルーバー取付け用の切り欠きを持つ鏡板，木枠，ルーバー本体の他に、隙間を隠蔽する額縁等が必要であるので、構造が複雑で組み立て困難である。
また木枠３１５に取付けられる羽根３４０自体は、木枠３１５に釘Ｎだけで固定されるか、又は木枠３１５に形成された溝や穴に嵌合される他、木枠３１５は周囲の框又は鏡板にも釘等で固定されることが多いので（図示省略）、羽根３４０の保持強度が低く、足で蹴飛ばす程度で外れ、防犯上問題である。なお、額縁（図示省略）の使用によって、羽根の保持強度は向上するが、デザイン的に重々しい感じを与え易い。
【０００６】
しかも、鏡板の切り欠き部分に取付けられるものは、鏡板の付設部品という感じを与え、框以外に別個の縦横の線が加わり、デザイン的に重々しい感じを与える。
【０００７】
【発明が解決しようとする課題】
そこで本発明の目的とするところは、上記従来例の欠点を解消した、高級感があって、面積が大きく、デザインの制約がなく、構造が簡単で組立容易であり、且つ羽根の保持強度が高い換気用ルーバーを取付け可能な木質ドアを提供することにある。
【０００８】
【課題を解決するための手段】
上記の目的を達するために、請求項１に記載の発明は、木質材料からなる複数の羽根（４０）が鉛直方向に多段に設けられた換気用ルーバー（Ｌ）が、上下に位置する横框（１１，１３）と左右に位置する縦框（２０，２０）に囲まれた部分に嵌込まれた木質ドアであって、左右縦框（２０，２０）の互いに対向する内側に鉛直方向に延びる凹溝（２２）が形成されるとともに、その凹溝（２２）に、複数の羽根（４０）の両端に形成された凸部（４１）がそれぞれ直接嵌合されることにより構成され、前記凹溝（２２）に、前記換気用ルーバー（Ｌ）にかえて鏡板（３０）をそのまま嵌込んだり、あるいは鏡板（３０）と換気用ルーバー（Ｌ）とを上下になるように嵌込み可能にしたもので、しかも、前記凹溝（２２）は、前記左右縦框（２０，２０）からそれぞれ内側に向かって突出した突条（２１）の真中に形成され、その突条（２１）のドア表面側の側面及びドア裏面側の側面は、曲面状に加工され、それら側面に嵌合するように、複数の羽根（４０）の両端に形成された凸部（４１）の側面も曲面状に加工されていることを特徴とする。
【００１３】
なお、括弧内の記号は図面および後述する発明の実施の形態に記載された対応要素または対応事項を示す。
【００１４】
請求項１の発明によれば、換気用ルーバーの羽根を縦框の凹溝に嵌込むだけでよいので構造が簡単で組立容易である。また、換気用ルーバーにかえて鏡板をそのまま嵌込んだり、あるいは鏡板と換気用ルーバーとを上下になるように嵌込むことも可能であり、自由度が高い。
【００１５】
また複数の羽根が、鉛直方向に延びる凹溝に直接且つ一斉に嵌合されるため、羽根の縦框への保持強度が著しく大となり、額縁の介在がなくても蹴飛ばす程度では外れることはない。また、ルーバーの幅を大きくとることができるので換気面積が大きく取れる。よって、デザインの制約がなくなる。
【００１６】
羽根として、無垢材や合板，ＬＶＬ，集成材など、框に合った任意の材料を選択可能であるため、高級感の付与が容易である。しかも、羽根の縦框への取付けに釘や木ねじ等が不要であり、従ってそれらが表面へ露出することがなく、外観が向上する。
その他、換気用ルーバーの設置のための、切り欠けを備えた鏡板，ルーバー本体，木枠，額縁等が必要なく、部品点数が少なくて済み、換気用ルーバーのないドアとの調和も取り易い。
【００１７】
また、前記凹溝は、前記左右縦框からそれぞれ内側に向かって突出した突条の真中に形成され、その突条のドア表面側の側面及びドア裏面側の側面は、曲面状に加工され、それら側面に嵌合するように、複数の羽根の両端に形成された凸部の側面も曲面状に加工されているので、嵌合部の増加により羽根の縦框への保持強度が一層大きくなるとともに曲面形状を活かしたデザインを施すことができる。
【００２１】
【発明の実施の形態】
本発明の実施の形態に係る木質ドアを図面を参照して説明すると、図１は水平断面図、図２は図１の一部を示す部分斜視図、図３は図１の分解図、図４は変形例を示す図１の一部を示す部分斜視図、図５は別の変形例を示す水平断面図、及び図６は本発明が適用されるドアを示す正面図である。
【００２２】
先ず図６により、本発明が適用される木質ドアについて説明すると、上下に位置する横框１１，１３と左右に位置する縦框２０，２０とに囲まれた部分の上部分には鏡板３０が嵌め込まれ、下部分には換気用ルーバーＬが嵌め込まれている。なお、鏡板３０と換気用ルーバーＬとの間には横框１２が設けられている。また上記各部の材質としては、例えば無垢材がふさわしいがこれに限定されるものではない。
【００２３】
縦框２０，２０の互いに対向する内側にはそれぞれ鉛直方向に延びる凹溝２２が形成されている。より具体的には内側へ向かって先細の突条２１の真中に凹溝２２が形成されている。この突条２１の断面形状は、図では、幅の中心線に対して線対称であり、全体として曲線で囲まれているが、前記中心線上に鏡板３０の嵌合可能な凹溝２２が設けられている他、その凹溝２２の両側、すなわち凹溝２２のドア表面側及びドア裏面側の両側面にはそれぞれ曲面状に加工された２つの段差が設けられている。しかし、内側へ向かって先細であること、凹溝２２が設けられていることを除いて、図に示す形状に限定されるものではない。
【００２４】
縦框２０，２０に嵌め込まれる換気用ルーバーＬは、図１乃至３に示すように、木質材料からなる複数の羽根４０が鉛直方向に多段に設けられたものであり、各羽根４０の両端には凸部４１が形成されてその凸部４１が縦框２０，２０に形成された凹溝２２に嵌合するようになっている。凸部４１にはスリット４３が形成されていてその両側面は小突条４２になっている。この小突条４２とスリット４３からなる凸部４１が縦框２０の凹溝２２に嵌合されるようになっている。
なお、凸部４１の側面は、上述した凹溝２２のドア表面側及びドア裏面側の両側面に曲面状に加工された２つの段差に嵌合するように同じく曲面状に加工されている。これによれば曲面形状を活かしたデザインを施せる。
【００２５】
また、鉛直方向に多段に設けられた複数の羽根４０の両端に形成された凸部４１内にさらに形成されたスリット４３には、鉛直方向に長い、例えば単板等の薄板５０が嵌合されるようになっている。薄板５０はスリット４３に全体が入るような状態で嵌合される。
【００２６】
なお、羽根４０と薄板５０との接合は、適当な治具によって等間隔平行に配列された複数の羽根４０のスリット４３に薄板５０が差し込まれたうえ、釘等によらず、接着剤により接着されることが好ましい。
【００２７】
次に組立手順について簡単に説明すると、一方の縦框２０を、その内側、凹溝２２を上にして水平に置き、凹溝２２のドアの上側部分に、鏡板３０を差し込むと共に、突条２１のドアの下側部分に、換気用ルーバーＬの一方の各凸部４１を薄板５０とともに嵌合する。なお、この間に中間の横框１２が取付ける。
【００２８】
次いで他方の縦框２０を、その内側、凹溝２２を下に水平にして、鏡板３０の他方の辺及び換気用ルーバーＬの他方の凸部４１に薄板５０とともに嵌合した後、横框１１，１３をドア上下に取付ける。
【００２９】
このように構成された木質ドアによれば、換気用ルーバーＬの羽根４０を縦框２０の凹溝２２に嵌込むだけでよいので構造が簡単で組立容易である。また、換気用ルーバーＬにかえて鏡板３０をそのまま嵌込んだり、あるいは鏡板３０と換気用ルーバーＬとを上下になるように嵌込むことも可能である。
また複数の羽根４０が、鉛直方向に延びる凹溝２２に直接且つ一斉に嵌合されるため、羽根４０の縦框２０への保持強度が著しく大となり、額縁の介在がなくても蹴飛ばす程度では外れることはない。また、高級感の付与が容易であり、外観が向上する。また、換気用ルーバーＬの幅を大きくとることができるので換気面積が大きく取れる。よって、デザインの制約がなくなる。
【００３０】
羽根４０として、無垢材や合板，ＬＶＬ，集成材など、框に合った任意の材料を選択可能であるため、高級感の付与が容易である。しかも、羽根４０の縦框への取付けに釘や木ねじ等が不要であり、従ってそれらが表面へ露出することがなく、外観が向上する。
その他、換気用ルーバーＬの設置のための、切り欠けを備えた鏡板，ルーバー本体，木枠，額縁等が必要なく、部品点数が少なくて済み、換気用ルーバーのないドアとの調和も取り易い。
【００３１】
また羽根４０に形成された凸部４１には、鉛直方向に延びる薄板５０の全体がそのまま嵌合されるスリット４３が形成されているので、縦框２０に形成された凹溝２２に羽根４０に形成された凸部４１が嵌合する力は薄板５０の存在により大きくなる。すなわち、薄板５０をスリット４３に嵌合することにより羽根４０の凸部４１が拡開するので小突起４２が縦框２０の凹溝２２に密着する力が大きくなる。よって、特に釘や木ねじ等を使用することなく羽根４０の取付けを極めて容易に行える。
【００３２】
なお、図４に示すように、羽根４０の外表面に化粧シート６０を貼付けるようにしてもよい。すなわち、羽根４０の表面のうち、換気用ルーバーＬとして組み立てたられた状態で少なくとも外側から見える部分に、縦框２０や鏡板３０に合った模様の化粧シート６０を貼付けることができる。
そのため、羽根４０の表面のうち、換気用ルーバーＬとして組み立てたられた状態で少なくとも外側から見える部分は、羽根４０の材質が縦框２０，２０や鏡板のそれと同一でなくても、又は同一であっても、模様が著しく異なっていても、縦框２０や鏡板のそれに合った模様の化粧シート６０を使用することによって外観を著しく向上することができる。
【００３３】
また、図５に示すように、縦框２０に形成された凹溝２２に鉛直方向に延びる薄板５２の一側端側を嵌合し、その薄板５２の他側端側を、複数の羽根４０の両端に形成された凹部５１に嵌合することによって羽根４０を縦框２０に固定するようにしてもよい。これによれば、構造が簡単でしかも取付けも容易である。
【００３４】
【発明の効果】
以上のとおり請求項１の発明によれば、換気用ルーバーの羽根を縦框の凹溝に嵌込むだけでよいので構造が簡単で組立容易である。また、換気用ルーバーにかえて鏡板をそのまま嵌込んだり、あるいは鏡板と換気用ルーバーとを上下になるように嵌込むことも可能であり、自由度が高い。
【００３５】
また複数の羽根が、鉛直方向に延びる凹溝に直接且つ一斉に嵌合されるため、羽根の縦框への保持強度が著しく大となり、額縁の介在がなくても蹴飛ばす程度では外れることはない。また、高級感の付与が容易であり、外観が向上する。また、ルーバーの幅を大きくとることができるので換気面積が大きく取れる。よって、デザインの制約がなくなる。
【００３６】
羽根として、無垢材や合板，ＬＶＬ，集成材など、框に合った任意の材料を選択可能であるため、高級感の付与が容易である。しかも、羽根の縦框への取付けに釘や木ねじ等が不要であり、従ってそれらが表面へ露出することがなく、外観が向上する。
その他、換気用ルーバーの設置のための、切り欠けを備えた鏡板，ルーバー本体，木枠，額縁等が必要なく、部品点数が少なくて済み、換気用ルーバーのないドアとの調和も取り易い。
【００３７】
また、前記凹溝は、前記左右縦框からそれぞれ内側に向かって突出した突条の真中に形成され、その突条のドア表面側の側面及びドア裏面側の側面は、曲面状に加工され、それら側面に嵌合するように、複数の羽根の両端に形成された凸部の側面も曲面状に加工されているので、嵌合部の増加により羽根の縦框への保持強度が一層大きくなるとともに曲面形状を活かしたデザインを施すことができる。
【図面の簡単な説明】
【図１】本発明の実施の形態例の水平断面図である。
【図２】図１の一部を示す部分斜視図である。
【図３】図１の分解図である。
【図４】本発明の実施の形態例の変形例を示す部分斜視図である。
【図５】本発明の実施の形態例の別の変形例を示す水平断面図である。
【図６】本発明が適用されるドアを示す正面図である。
【図７】従来例の一部を示す斜視図である。
【図８】他の従来例の一部を示す斜視図である。
【図９】３番目の従来例の一部を示す斜視図である。
【符号の説明】
１１〜１３  横框
２０  縦框
２１  突条
２２  凹溝
３０  鏡板
４０  羽根
４１  凸部
４２  小突条
４３  スリット
５０  薄板
５１  凹部
５２  薄板
６０  化粧シート
１１０  框
１１５  彫り込み
１４０  羽根
２１０  框
２１５  穴
２４０  羽根
２４１  ダボ
３１５  木枠
３４０  羽根
Ｌ  換気用ルーバー
Ｎ  釘
【図１】
0003548111.tif 000002
【図２】
0003548111.tif 000003
【図３】
0003548111.tif 000004
【図４】
0003548111.tif 000005
【図５】
0003548111.tif 000006
【図６】
0003548111.tif 000007
【図７】
0003548111.tif 000008
【図８】
0003548111.tif 000009
【図９】
0003548111.tif 000010